(57)【要約】【課題】植栽棚用省エネ装置及びその方法の提供。【解決手段】植栽棚用省エネ装置は、少なくとも一つの植栽棚であって、少なくとも一つの格子板と少なくとも一つの集合部を具え、該格子板は流道を具え、該集合部は該格子板の底端に位置し、並びに該流道と連通する、上記少なくとも一つの植栽棚、少なくとも一つの風管であって、その底部に複数のノズルを具え、これらノズルは各格子板の上方に位置する、上記少なくとも一つの風管、少なくとも一つのクーラーであって、少なくとも一つの風管に接続され、該クーラーは冷気を提供し、該冷気はこれらノズルをとおり該格子板に向けて吹き出される、上記少なくとも一つのクーラー、少なくとも一つのブロワーであって、該集合部と該クーラーに接続された、上記少なくとも一つのブロワー、以上を含む。ブロワーが抽気を開始し、冷気を格子板１０の植え端より格子板１０の底端へと流され、並びに流道と集合部を介して該ブロワーへと進入し、該ブロワーが該冷気を該クーラーに提供する。【選択図】図１
2016198080.tif 000002
【特許請求の範囲】
【請求項１】
植栽棚用省エネ装置において、
少なくとも一つの植栽棚であって、少なくとも一つの格子板と少なくとも一つの集合部を具え、該格子板は流道を具え、該集合部は該格子板の底端に位置し、並びに該流道と連通する、上記少なくとも一つの植栽棚、
少なくとも一つの風管であって、その底部に複数のノズルを具え、これらノズルは各格子板の上方に位置する、上記少なくとも一つの風管、
少なくとも一つのクーラーであって、少なくとも一つの風管に接続され、該クーラーは冷気を提供し、該冷気はこれらノズルをとおり該格子板に向けて吹き出される、上記少なくとも一つのクーラー、
少なくとも一つのブロワーであって、該集合部と該クーラーに接続された、上記少なくとも一つのブロワー、
以上を含むことを特徴とする、植栽棚用省エネ装置。
【請求項２】
請求項１記載の植栽棚用省エネ装置において、該ブロワーは集風管を具え、該集風管は連接管で該集合部に接続され、該集風管の一端は該ブロワーに接続されたことを特徴とする、植栽棚用省エネ装置。
【請求項３】
請求項１記載の植栽棚用省エネ装置において、該集合部は湾曲状を呈する出液コネクタを具えたことを特徴とする、植栽棚用省エネ装置。
【請求項４】
請求項１記載の植栽棚用省エネ装置において、該植栽棚はＡ型植栽棚とされ、該植栽棚は二つの対称に傾斜する格子板、少なくとも一つの引流板、複数の植栽容器、複数の供液管と複数の注入管を具え、該引流板は該格子板の一端面の四周のフランジに位置し、これにより該引流板と該格子板の間に間隔を具備させ、該間隔は該流道を形成し、各植栽容器は各収容孔に設けられ、各供液管は各格子板に設けられ、並びに該植栽容器に隣接し、各注入管の一端は各供液管に接続され、各注入管の他端は各植栽容器の上端まで延伸されたことを特徴とする、植栽棚用省エネ装置。
【請求項５】
請求項１記載の植栽棚用省エネ装置において、該格子板は複数の収容孔を具え、該冷気は風管底部のノズルをとおり格子板内の収容孔へと噴出し、さらに収容孔をとおり該流道に流入することを特徴とする、植栽棚用省エネ装置。
【請求項６】
植栽棚用省エネ装置において、
少なくとも一つの植栽棚であって、少なくとも一つの層架と少なくとも一つの集合部を具え、該層架は階層構造とされ、該層架の各層は、複数の設置孔と少なくとも一つの風孔を具え、該層架はさらに流道を具え、少なくとも一つの集合部が該層架の底端に位置し、並びに該流道と連通する、上記少なくとも一つの植栽棚、
少なくとも一つの風管であって、その底部に複数のノズルを具え、各層架の上方に位置する、上記少なくとも一つの風管、
少なくとも一つのクーラーであって、少なくとも一つの風管に接続され、該クーラーは冷気を提供し、該冷気はこれらノズルをとおり該層架に向けて吹き出される、上記少なくとも一つのクーラー、
少なくとも一つのブロワーであって、該集合部と該クーラーに接続された、上記少なくとも一つのブロワー、
以上を含むことを特徴とする、植栽棚用省エネ装置。
【請求項７】
請求項６記載の植栽棚用省エネ装置において、該層架は複数の収容孔を具え、該冷気は風管底部のノズルより層架内の収容孔に向けて吹きつけられ、さらに収容孔をとおり該流道に流入することを特徴とする、植栽棚用省エネ装置。
【請求項８】
請求項６記載の植栽棚用省エネ装置において、該ブロワーは集風管を具え、該集風管は連接管で該集合部に連接され、該集風管の一端は該ブロワーに接続されることを特徴とする、植栽棚用省エネ装置。
【請求項９】
請求項６記載の植栽棚用省エネ装置において、該集合部は湾曲状を呈する出液コネクタを具えたことを特徴とする、植栽棚用省エネ装置。
【請求項１０】
請求項６記載の植栽棚用省エネ装置において、該植栽棚はＡ型植栽棚とされ、該植栽棚は二つの対称に傾斜する層架と少なくとも一つの引流板を具え、該引流板は該層架の一端面の四周のフランジに位置し、これにより該引流板と層架の間に間隔を具備させ、該間隔は該流道を形成することを特徴とする、植栽棚用省エネ装置。
【請求項１１】
植栽棚用省エネ装置において、
少なくとも一つの植栽棚であって、少なくとも一つの格子板と少なくとも一つの集合部を具え、該格子板は流道を具え、該集合部は該格子板の底端に位置し、並びに該流道と連通する、上記少なくとも一つの植栽棚、
少なくとも一つのブロワーであって、該集合部に接続される、上記少なくとも一つのブロワー、
少なくとも一つのヒーターであって、該ブロワーに接続される、上記少なくとも一つのヒーター、
を含むことを特徴とする、植栽棚用省エネ装置。
【請求項１２】
請求項１１記載の植栽棚用省エネ装置において、該ブロワーは集風管を具え、該集風管は連接管で該集合部に連接され、該集風管の一端は該ブロワーに接続されたことを特徴とする、植栽棚用省エネ装置。
【請求項１３】
請求項１１記載の植栽棚用省エネ装置において、該集合部は湾曲状を呈する出液コネクタを具えたことを特徴とする、植栽棚用省エネ装置。
【請求項１４】
請求項１２記載の植栽棚用省エネ装置において、該植栽棚はＡ型植栽棚とされ、該植栽棚は二つの対称に傾斜する格子板、少なくとも一つの引流板、複数の植栽容器、複数の供液管と複数の注入管を具え、該引流板は該格子板の一端面の四周のフランジに位置し、これにより該引流板と該格子板の間に間隔を具備させ、該間隔は該流道を形成し、各植栽容器は各収容孔に設けられ、各供液管は各格子板に設けられ、並びに該植栽容器の下方に位置し、各注入管の一端は各供液管に接続され、各注入管の他端は各植栽容器の上端まで延伸されたことを特徴とする、植栽棚用省エネ装置。
【請求項１５】
植栽棚用省エネ装置において、
少なくとも一つの植栽棚であって、少なくとも一つの層架と少なくとも一つの集合部を具え、該層架は階層構造とされ、該層架の各層は、複数の設置孔と少なくとも一つの風孔を具え、該層架はさらに流道を具え、該少なくとも一つの集合部は該層架の底端に位置し、並びに該流道と連通する、上記少なくとも一つの植栽棚、
少なくとも一つのブロワーであって、該集合部に接続された、上記少なくとも一つのブロワー、
少なくとも一つのヒーターであって、該ブロワーに接続された、上記少なくとも一つのヒーター、
以上を含むことを特徴とする、植栽棚用省エネ装置。
【請求項１６】
請求項１５記載の植栽棚用省エネ装置において、該ブロワーは集風管を具え、該集風管は連接管で該集合部に連接され、該集風管の一端は該ブロワーに接続されたことを特徴とする、植栽棚用省エネ装置。
【請求項１７】
請求項１５記載の植栽棚用省エネ装置において、該植栽棚はＡ型植栽棚とされ、該植栽棚は二つの対称に傾斜する層架と少なくとも一つの引流板を具え、該引流板は該層架の一端面の四周のフランジに位置し、これにより該引流板と層架の間に間隔を具備させ、該間隔は該流道を形成し、各植栽容器は各収容孔に設けられ、各供液管は各層架に設けられ、並びに該植栽容器の下方に位置し、各注入管の一端は各供液管に接続され、各注入管の他端は各植栽容器の上端まで延伸されたことを特徴とする、植栽棚用省エネ装置。
【請求項１８】
植栽棚において、
少なくとも一つの格子板であって、該格子板上に複数の収容孔が設置された、上記少なくとも一つの格子板、
引流板であって、該少なくとも一つの格子板の一つの端面に設置された、上記引流板、  を含み、その特徴は、該引流板が該格子板の一つの端面の四周のフランジ上に設けられることで、該引流板と該格子板の間に間隔が設けられ、該間隔が流道を形成することにある、植栽棚。
【請求項１９】
植栽棚用省エネ方法において、
冷気を提供するステップ、このステップでは、温室内部に位置する少なくとも一つの植栽棚の周辺温度を測定するか、該温室内部の温度を測定し、該温度或いは該周辺温度が設定温度を超過すれば、クーラーを起動して冷気を提供する、
冷気を回収するステップ、該冷気は該植栽棚に向いて吹き、ブロワーが起動されて該冷気を該植栽棚の内部に吸入し、該ブロワーが該冷気を該クーラーに提供する、
冷気提供を停止するステップ、このステップでは該温度或いは該周辺温度が該設定温度より低くなれば、該クーラーを停止する、
温度測定ステップ、このステップでは、該温度或いは該周辺温度を測定し、該温度或いは該周辺温度が該設定温度を超過すれば、クーラーを起動し、該温度或いは該周辺温度が該設定温度より低ければ、該クーラーは不作動とする、
以上のステップを含むことを特徴とする、植栽棚用省エネ方法。
【請求項２０】
請求項１９記載の植栽棚用省エネ方法において、該冷気を提供するステップの前に、温室と植栽棚の設置のステップがあり、それは温室中に複数の植栽棚を設置し、少なくとも一つの植栽棚をクーラーに組み合わせるステップであることを特徴とする、植栽棚用省エネ方法。
【請求項２１】
植栽棚用省エネ方法において、
暖気を提供するステップ、このステップでは、温室内部に位置する少なくとも一つの植栽棚の周辺温度を測定するか、該温室内部の温度を測定し、該温度或いは該周辺温度が設定温度より低ければ、ヒーターを起動して暖気をブロワーに提供し、該ブラワーが該暖気を該植栽棚の内部に提供し、該暖気は該植栽棚の内部より該植栽棚の外部に向けて吹く、  暖気提供を停止するステップ、このステップでは該温度或いは該周辺温度が該設定温度を超過すれば、該ヒーターを停止する、
温度測定ステップ、このステップでは、該温度或いは該周辺温度を測定し、該温度或いは該周辺温度が該設定温度を超過すれば、該ヒーターは不作動であり、もし該温度或いは該周辺温度が該設定温度より低ければ、該ヒーターを起動する、
以上のステップを含むことを特徴とする、植栽棚用省エネ方法。
【請求項２２】
請求項２１記載の植栽棚用省エネ方法において、該暖気を提供するステップの前に、温室と植栽棚の設置のステップがあり、それは温室中に複数の植栽棚を設置し、少なくとも一つの植栽棚をヒーターに組み合わせるステップであることを特徴とする、植栽棚用省エネ方法。
【発明の詳細な説明】
【技術分野】
【０００１】
本発明は一種の植栽棚用省エネ装置及びその方法に係り、特に一種の植栽棚環境温度を十分にコントロールでき、それにより植栽棚に配置された植株の生長生育に有利な省エネ方法及びその装置に関する。
【背景技術】
【０００２】
伝統的な農業は集約式露地栽培方式であり、さらに農薬、化学肥料或いは駆虫剤の補助を農作物の生長に利用しているが、農薬、化学肥料或いは駆虫剤は環境危害が大きい化学薬品である。
【０００３】
盆器栽培の優れた点は、作物の生長生育期間に、虫害或いは病害の土壌からの伝播の経路を遮断し、これにより虫害と病害が伝染する可能性を減らすことにある。
【０００４】
ただし盆器栽培にも欠点は存在し、それは人手がかかり、単位面積の利用率を減らし、水資源の浪費のような経済面での不利な因子があることである。これを鑑み、複数の盆器を設置した植栽棚が生まれ、並びに温室設備の補助が組み合わされて、農作物の生長生育サイクルを短縮している。
【発明の概要】
【発明が解決しようとする課題】
【０００５】
温室は農作物の生長生育に有利ではあるが、低緯度の区域では、夏季の温室は高温蓄熱のため、農作物に熱障害が出現しやすい。高緯度の区域では、冬季に、温室が日照不足により、温室温度が低くなりすぎ、農作物に十分な生長生育の温度を提供できないことがある。
【０００６】
上述の熱障害或いは低温の解決方式は、大型の空調装置で温室全体の内部冷気或いは暖気を提供することであるが、ただしこの解決方式は大量のエネルギーを消費する。
【課題を解決するための手段】
【０００７】
本発明は一種の植栽棚用省エネ装置を提供し、それは、
少なくとも一つの植栽棚であって、少なくとも一つの格子板と少なくとも一つの集合部を具え、該格子板は流道を具え、該集合部は該格子板の底端に位置し、並びに該流道と連通する、上記少なくとも一つの植栽棚、
少なくとも一つの風管であって、その底部に複数のノズルを具え、これらノズルは各格子板の上方に位置する、上記少なくとも一つの風管、
少なくとも一つのクーラーであって、少なくとも一つの風管に接続され、該クーラーは冷気を提供し、該冷気はこれらノズルをとおり該格子板に向けて吹き出される、上記少なくとも一つのクーラー、
少なくとも一つのブロワーであって、該集合部と該クーラーに接続された、上記少なくとも一つのブロワー、
以上を含む。
【０００８】
本発明はまた、一種の植栽棚用省エネ装置を提供し、それは、
少なくとも一つの植栽棚であって、少なくとも一つの層架と少なくとも一つの集合部を具え、該層架は階層構造とされ、該層架の各層は、複数の設置孔と少なくとも一つの風孔を具え、該層架はさらに流道を具え、少なくとも一つの集合部が該層架の底端に位置し、並びに該流道と連通する、上記少なくとも一つの植栽棚、
少なくとも一つの風管であって、その底部に複数のノズルを具え、各層架の上方に位置する、上記少なくとも一つの風管、
少なくとも一つのクーラーであって、少なくとも一つの風管に接続され、該クーラーは冷気を提供し、該冷気はこれらノズルをとおり該層架に向けて吹き出される、上記少なくとも一つのクーラー、
少なくとも一つのブロワーであって、該集合部と該クーラーに接続された、上記少なくとも一つのブロワー、
以上を含む。
【０００９】
本発明はまた、一種の植栽棚用省エネ装置を提供し、それは、
少なくとも一つの植栽棚であって、少なくとも一つの格子板と少なくとも一つの集合部を具え、該格子板は流道を具え、該集合部は該格子板の底端に位置し、並びに該流道と連通する、上記少なくとも一つの植栽棚、
少なくとも一つのブロワーであって、該集合部に接続される、上記少なくとも一つのブロワー、
少なくとも一つのヒーターであって、該ブロワーに接続される、上記少なくとも一つのヒーター、
を含む。
【００１０】
本発明はまた、一種の植栽棚用省エネ装置を提供し、それは、
少なくとも一つの植栽棚であって、少なくとも一つの層架と少なくとも一つの集合部を具え、該層架は階層構造とされ、該層架の各層は、複数の設置孔と少なくとも一つの風孔を具え、該層架はさらに流道を具え、該少なくとも一つの集合部は該層架の底端に位置し、並びに該流道と連通する、上記少なくとも一つの植栽棚、
少なくとも一つのブロワーであって、該集合部に接続された、上記少なくとも一つのブロワー、
少なくとも一つのヒーターであって、該ブロワーに接続された、上記少なくとも一つのヒーター、
以上を含む。
【００１１】
本発明は一種の植栽棚用を提供し、それは、
少なくとも一つの格子板であって、該格子板上に複数の収容孔が設置された、上記少なくとも一つの格子板、
引流板であって、該少なくとも一つの格子板の一つの端面に設置された、上記引流板、  を含み、その主要な特徴は、該引流板が該格子板の一つの端面の四周のフランジ上に設けられることで、該引流板と該格子板の間に間隔が設けられ、該間隔が流道を形成することにある、上記植栽棚用省エネ装置。
【００１２】
本発明は植栽棚用省エネ方法を提供し、そのステップは、
冷気を提供するステップ、このステップでは、温室内部に位置する少なくとも一つの植栽棚の周辺温度を測定するか、該温室内部の温度を測定し、該温度或いは該周辺温度が設定温度を超過すれば、クーラーを起動して冷気を提供する、
冷気を回収するステップ、該冷気は該植栽棚に向いて吹き、ブロワーが起動されて該冷気を該植栽棚の内部に吸入し、該ブロワーが該冷気を該クーラーに提供する、
冷気提供を停止するステップ、このステップでは該温度或いは該周辺温度が該設定温度より低くなれば、該クーラーを停止する、
温度測定ステップ、このステップでは、該温度或いは該周辺温度を測定し、該温度或いは該周辺温度が該設定温度を超過すれば、クーラーを起動し、該温度或いは該周辺温度が該設定温度より低ければ、該クーラーは不作動とする。
【００１３】
本発明は植栽棚用省エネ方法を提供し、そのステップは、
暖気を提供するステップ、このステップでは、温室内部に位置する少なくとも一つの植栽棚の周辺温度を測定するか、該温室内部の温度を測定し、該温度或いは該周辺温度が設定温度より低ければ、ヒーターを起動して暖気をブロワーに提供し、該ブラワーが該暖気を該植栽棚の内部に提供し、該暖気は該植栽棚の内部より該植栽棚の外部に向けて吹く、  暖気提供を停止するステップ、このステップでは該温度或いは該周辺温度が該設定温度を超過すれば、該ヒーターを停止する、
温度測定ステップ、このステップでは、該温度或いは該周辺温度を測定し、該温度或いは該周辺温度が該設定温度を超過すれば、該ヒーターは不作動であり、もし該温度或いは該周辺温度が該設定温度より低ければ、該ヒーターを起動する。
【発明の効果】
【００１４】
総合すると、本発明の植栽棚用省エネ装置の第１実施例から第２実施例、及び本発明の植栽棚用省エネ方法の第１実施例は、ブロワーを利用して冷気を回収し、さらに回収した冷気をクーラーに提供することにより、クーラーの負荷を減らす。
【００１５】
このほか、本発明は一つのクーラーに少なくとも一つの植栽棚を組み合わせ、ゆえにクーラーは冷気を少なくとも一つの植栽棚に提供し、温室の全体空間に提供するのではなく、クーラーの数量が増加するとはいえ、クーラーの全体冷気トン数は冷気を温室の全体空間に提供する単一クーラーの冷気トン数より少なく、これにより省エネと二酸化炭素削減の効果を達成する。
【００１６】
さらに、本発明の格子板或いは層架の傾斜設計は、冷気の流動方向を案内するのに用いられるか、或いは暖気の流動方向を案内し、冷気或いは暖気が十分に均一に格子板或いは層架の各位置に流動するようにする。
【００１７】
本発明の植栽棚用省エネ装置の第３実施例、及び本発明の省エネ方法の第２実施例は、一つのヒーターを少なくとも一つの植栽棚に組合せ、ゆえにヒーターは暖気を少なくとも一つの植栽棚に提供し、温室全体空間に提供するのではなく、ヒーターの使用数量は比較的多いものの、複数のヒーターの全体負荷は暖気を温室の全体空間に提供する単一ヒーターよりも遥かに低く、ゆえに、省エネ、二酸化炭素削減の効果を達成できる。
【図面の簡単な説明】
【００１８】
【図１】本発明の植栽棚用省エネ装置の第１実施例の示意図である。
【図２】本発明の植栽棚用省エネ装置の第１実施例の立体外観図である。
【図３】本発明の植栽棚用省エネ装置の第１実施例の立体分解図である。
【図４】本発明の植栽棚用省エネ装置の格子板の立体図である。
【図５】本発明の植栽棚用省エネ装置の格子板、集合部と引流板の断面図である。
【図６】本発明の少なくとも一つの植栽棚用省エネ装置と少なくとも一つの植栽棚が温室に取り付けられた設置表示図である。
【図７】本発明の植栽棚用省エネ装置の第２実施例の立体外観図である。
【図８】本発明の植栽棚用省エネ装置の第３実施例の示意図である。
【発明を実施するための形態】
【００１９】
以下に本発明の技術内容、構造特徴、達成する目的及び作用効果について、以下に例を挙げ並びに図面を組み合わせて詳細に説明する。
【００２０】
図１と図２を参照されたい。本発明は一種の植栽棚１用省エネ装置の第１実施例である。該植栽棚１用省エネ装置は、少なくとも一つの植栽棚１、少なくとも一つのクーラー２１、少なくとも一つのブロワー２０と少なくとも一つの風管２２を含む。
【００２１】
図２と図３を参照されたい。植栽棚１はＡ型植栽棚であり、植栽棚１は少なくとも一つの格子板１０、少なくとも一つの集合部１１、複数の植栽容器１２、複数の供液管１４、複数の注入管１３と少なくとも一つの引流板１５を具えている。
【００２２】
図２、図３と図４を参照されたい。格子板１０は傾斜状を呈する。本実施例中、二つの格子板１０は対称な傾斜状のサポートフレームとされ、各格子板１０は複数の収容孔１００を具え、収容孔１００は層状の分布を呈する。各格子板１０の一面の四周側にフランジ１０１を具えている。
【００２３】
各集合部１１は各格子板１０の底端に設けられ、集合部１１の底端に出液コネクタ１１０を具え、出液コネクタ１１０は湾曲状を呈し、湾曲部分に液体の存在があるようにし、出液コネクタ１１０の湾曲部分は、ブロワー２０の抽気時に、液体の集合部１１への逆流を防止し、或いは、出液コネクタ１１０に逆止め弁が設けられて、出液コネクタ１１０内の外界気体が集合部１１へと吸い込まれないようにする。出液コネクタ１１０は集液装置に接続され、たとえば、該集液装置はポンプ或いは真空吸い取り装置とされる。
【００２４】
各植栽容器１２は各収容孔１００部分に設けられる。各供液管１４は格子板１０部分に設けられ、並びに植栽容器１２に隣接する。各注入管１３の一端は供液管１４に接続され、各注入管１３の他端は植栽容器１２の上端へと延伸される。供液管１４はさらに液体供給システムに接続されて、液体供給システムは液体を供液管に供給する。
【００２５】
図５を参照されたい。各引流板１５はフランジ１０１上に設けられて、引流板１５と格子板１０の間に間隔を具備させ、該間隔は流道１０２を形成し、流道１０２は液体或いは冷気を案内して集合部１１に流入させる。
【００２６】
図１から図３を参照されたい。風管２２は各格子板１０に隣接し、本実施例では、風管２２は各格子板１０の上端に位置し、風管２２の底部に複数のノズル２２０を具え、ノズル２２０は風管２２下方に位置する各格子板１０に対向する。風管２２はクーラー２１に接続され、冷気は風管２２底部のノズル２２０をとおり格子板１０内の収容孔１００へと吹きつけ、さらに収容孔１００をとおり該流道１０２に流入する。
【００２７】
ブロワー２０は少なくとも一つの集風管２００を具え、集風管２００の一端はブロワー２０に接続される。集風管２００は連接管１１１を介して集合部１１に接続され、出液コネクタ１１０が湾曲状を呈するため、湾曲部分に液体が存在させられ、或いは、出液コネクタ１１０に逆止め弁が設置されることにより、ブロワーの抽気時に出液コネクタ１１０内の外界気体が集合部１１及び連接管１１１内に吸い込まれるのを防止する。ブロワー２０はさらにクーラー２１に接続される。
【００２８】
図６を参照されたい。それは少なくとも一つの省エネ装置と少なくとも一つの植栽棚が温室に設置された実施例とされ、そのうちクーラー２１は冷気を四本の風管２２に提供し、四本の風管２２たとえば図２に示されるような風管２２の下方に、二組のＡ型植栽棚が設置され、本実施例では全部で６組配置され、各組に前述のようにクーラー２１、風管２２及びＡ型植栽棚が設置されるが、ただし、実際の必要により、クーラー２１、風管２２及びＡ型植栽棚の配置が増減される。図１、図２と図６に示されるように、本発明は一種の植栽棚用省エネ方法を提供し、そのステップは以下を含む。
【００２９】
ステップ１では、温室と植栽棚１を設置する。温室の内部には複数の植栽棚１を設置し、並びに二つの植栽棚１の上方に、複数の風管２２を設け、各風管２２は各格子板１０に対向する。複数の風管２２がクーラー２１に接続される。各植栽容器１２は植株を具えた盆器が設置されるか、或いは植株は直接各植栽容器１２中に栽種される。前述されたように、少なくとも一つの植栽棚１にクーラー２１が組み合わされる。
【００３０】
ステップ２では、冷気を提供する。温室内部の各植栽棚１の周辺温度を測定し、もし温室内部のある区域の植栽棚１の周辺温度が設定温度を超過すれば、その区域に対応するクーラー２１が起動され、冷気を風管２２に提供する。同様に、もし温室内部の全体温度が設定温度を超過すれば、全てのクーラー２１を起動して、冷気を温室内部に位置する全ての風管２２に提供する。
【００３１】
ステップ３では、冷気を回収する。図１に示されるように、冷気がノズル２２０より格子板１０の表面に吹きつけられるとき、ブロワーは起動され、ブロワー２０が抽気を介しし、冷気を格子板１０の植え端より格子板１０の底端へと流す。同時に、引流板１５と格子板１０の間に流道１０２を具え、流道１０２は集合部１１に連通し、ゆえに冷気はまた格子板１０の各層に位置する収容孔１００をとおり、並びに流道１０２により集合部１１に流入する。集合部１１に進入した冷気はさらに集風管２００をとおりブロワー２０に流入し、並びにブロワー２０よりクーラー２１に送り返される。
【００３２】
このほか、供液管１４からの液体は、注入管１３をとおり植栽容器１２中に注入され、植栽容器１２中に位置する植株に注がれる。該液体は植株に注がれるほか、降温の効果を有する。液体が植栽容器１２中に注がれるとき、一部の液体は収容孔１００をとおり前述の流道１０２に進入し、引流板１５は流道１０２に進入した液体が四方に飛散するのを防止し、並びに液体を案内して集合部１１に進入させる。集合部１１に進入した液体は、出液コネクタ１１０をとおり集合部１１より流出するか、或いは液体供給システムに復流し、再度供液管１４に提供される。集風管２００と集合部１１の接続の位置は出液コネクタ１１０より高いため、液体と冷気が集合部１１に位置するとき、両者は気液分離の状態を現出し、これにより液体がブロワー２０中に吸い込まれるのを防止する。
【００３３】
このほか、傾斜状設計の格子板１０もまた冷気流動の方向を案内する。引流板１５と格子板１０の間にある流道１０２は、液体或いは冷気の集合部１１への流入を案内できる。
【００３４】
ステップ４では、冷気提供を停止する。このステップでは、もし該周辺温度或いは温室内部の温度がすでに設定温度より低ければ、クーラー２１とブロワー２０を停止する。
【００３５】
ステップ５では、温度を測定する。このステップでは、再度温室内部の温度或いは植栽棚１の周辺温度を測定し、もし該温度或いは該周辺温度が設定温度を超過すれば、ステップ２にもどり、もし該温度或いは該周辺温度が設定温度より低ければ、クーラー２１を作動させない。
【００３６】
図７を参照されたい。本発明は植栽棚３用省エネ装置の第２実施例とされる。本実施例において、ブロワー、クーラー、風管４１と集風管４０の配置は上述の第１実施例のようであるため、多くは説明しない。
【００３７】
植栽棚３は少なくとも一つの層架３０を具え、層架３０は傾斜状を呈し、本実施例では、二つの層架３０が傾斜状を呈する。層架３０は階層構造とされ、層架３０の各層３００は、複数の設置孔３０５と少なくとも一つの吸風孔３０１を具える。層架３０の底端は集合部３０２を具え、集合部３０２は集風管４０に接続される。集合部３０２の底端は出液コネクタ３０３を具える。層架３０の一面は引流板を具えることで、層架３０の内部と引流板の間に間隔が形成され、該間隔は流道を形成し、流道は集合部３０２に連通する。該設置孔３０５は媒体袋の設置に供される。
【００３８】
上述の省エネ方法の第１実施例のように、植栽棚３は温室中に設置され、植栽棚３の周辺温度が設定温度を超過したとき、クーラーが冷気を風管４１に提供し、風管４１は冷気を層架３０に向けて吹きつける。冷気は吸風孔３０１をとおり、層架３０中に進入する。冷気は集合部３０２へと案内され、さらにブロワーにより吸い取られ、クーラー中に戻る。
【００３９】
図８も参照されたい。本発明は植栽棚６用省エネ装置の第３実施例である。該植栽棚６用省エネ装置は少なくとも一つの植栽棚６、少なくとも一つのブロワー５１と少なくとも一つのヒーター５０を含む。
【００４０】
本実施例中、植栽棚６の格子板６１は上述の省エネ装置の第１実施例のようである。或いは植栽棚６は上述の省エネ装置の第２実施例のようである。
【００４１】
ヒーター５０はブロワー５１に接続される。ブロワー５１は集風管に接続され、該集風管は格子板６１底端に位置する集合部６０に接続される。
【００４２】
さらに図８も参照されたい。本発明は植栽棚６用省エネ方法の第２実施例であり、そのステップは以下のとおりである。
【００４３】
ステップ１では、温室と植栽棚６を設置する。温室の内部には複数の植栽棚６を設置する。少なくとも二つの植栽棚６はヒーター２１に接続する。各植栽棚６は複数の植株を具える。前述したように、少なくとも一つのヒーター２１は少なくとも一つの植栽棚６に組み合わされる。
【００４４】
ステップ２では、暖気を提供する。このステップでは、温室内部の各植栽棚６の周辺温度を測定するか、或いは温室内部の温度を測定する。もし該周辺温度が設定温度より低いか、或いは温室内部の温度が設定温度より低ければ、ヒーター５０を起動し、ヒーター５０は暖気をブロワー５１に提供し、ブロワー５１は暖気を集風管に送る。暖気はさらに集風管より集合部６０に進入し、暖気は格子板６１の案内により、格子板６１各層の収容孔より吹き出し、これにより暖気が植株に提供される。もし上述の層架とされれば、暖気は吸風孔より吹き出される。
【００４５】
ステップ３では、暖気の提供を停止する。このステップでは、もし該周辺温度或いは温室内部の温度が設定温度を超過すれば、ヒーター５０とブロワー５１を停止する。
【００４６】
ステップ４では、温度を測定する。このステップでは、再度温室内部の温度或いは植栽棚６の周辺温度を測定し、もし該温度或いは該周辺温度が設定温度を超過すれば、ヒーター５０は作動しない。もし該温度或いは該周辺温度が設定温度より低ければ、ステップ２に戻る。
【００４７】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００４８】
１  植栽棚
１０  格子板
１００  収容孔
１０１  フランジ
１０２  流道
１１  集合部
１１０  出液コネクタ
１１１  連接管
１２  植栽容器
１３  注入管
１４  供液管
１５  引流板
２０  ブロワー
２００  集風管
２１  クーラー
２２  風管
２２０  ノズル
３  植栽棚
３０  層架
３００  層
３０１  吸風孔
３０２  集合部
３０３  出液コネクタ
３０５  設置孔
４０  集風管
４１  風管
６  植栽棚
６０  集合部
５０  ヒーター
５１  ブロワー
【図１】
2016198080.tif 000003
【図２】
2016198080.tif 000004
【図３】
2016198080.tif 000005
【図４】
2016198080.tif 000006
【図５】
2016198080.tif 000007
【図６】
2016198080.tif 000008
【図７】
2016198080.tif 000009
【図８】
2016198080.tif 000010